(57)【特許請求の範囲】
【請求項１】
所定の高さで設置される培地充填用の培地受けシートを備えた植物栽培用ベッドにおいて、
該培地受けシートの下方であって、少なくとも一方の側端縁が上下動可能に設けられた排液受けシートを有することを特徴とする植物栽培用ベッド。
【請求項２】
略垂直に設置された支柱パイプを介して、所定の高さで略水平に、かつ互いに略対向して配設される第一及び第二の固定パイプと、
少なくともいずれか一方の固定パイプと略平行となる位置関係で配設されると共に、該一方の固定パイプを支持している支柱パイプを介して、上下方向に移動可能に支持される可動パイプと、を有し、
前記培地受けシートは、その各側端縁がそれぞれ前記第一の固定パイプと第二の固定パイプとに固定され、
前記排液受けシートは、一方の側端縁が前記第一の固定パイプに固定され、他方の側端縁が前記可動パイプに固定されている請求項１記載の植物栽培用ベッド。
【請求項３】
前記排液受けシートの適宜箇所に、排出口が形成されていると共に、該排出口に、排出管が接続されている請求項１又は２記載の植物栽培用ベッド。
【発明の詳細な説明】
【０００１】
【発明の属する技術分野】
本発明は、植物栽培用ベッドに関する。
【０００２】
【従来の技術】
従来、植物栽培用ベッドとして、例えば、図４に示すような植物栽培用ベッド１００が用いられている。この植物栽培用ベッド１００は、両側に対向して立設された支柱パイプ２１０，２２０の上部に、固定パイプ３１０，３２０が略水平にかつ略対向して配設され、該固定パイプ３１０，３２０の間に、排液孔５１０を有する培地受けシート５００が配設されている。培地受けシート５００上面には、培地１１０が充填され、この培地１１０から排出される排液１２０は、排液孔５１０から滴下し、培地受けシート５００の下方に配設された樋７００によって回収されている。
【０００３】
ところで、ここで用いられる土、ロックウール等の培地は、通常、使用期間が１〜２年を過ぎると、不用物が蓄積されて良好な栽培には適さなくなる。そのため、上記使用期間以上に培地を長持ちさせるため、適宜時期に、一旦培地を水に全部浸した後、その水を排出するという湛液作業や培地の雑菌を殺すための消毒を行う。
【０００４】
【発明が解決しようとする課題】
しかしながら、図４に示した植物栽培用ベッド１００は、培地１１０が排液を受ける樋７００の上方に離れて配設されており、水を流しても速やかに排液孔５１０から流出してしまうため、この植物栽培ベッド１００では上記した湛液作業を行うことは実質的に不可能であった。このため、使用される培地１１０は、通常、１〜２年のサイクルで使い捨てとなっていた。
【０００５】
本発明は、上記した点に鑑みなされたものであり、根圏環境を良好に保つことが容易な、培地を地面から離れた所定の高さに設ける形式の植物栽培用ベッドにおいて、湛液作業を可能とした植物栽培用ベッドを提供することを課題とする。
【０００６】
【課題を解決するための手段】
上記課題を達成するため、本発明の植物栽培用ベッドは、所定の高さで設置される培地充填用の培地受けシートを備えた植物栽培用ベッドにおいて、該培地受けシートの下方であって、少なくとも一方の側端縁が上下動可能に設けられた排液受けシートを有することを特徴とする。
【０００７】
この場合、略垂直に設置された支柱パイプを介して、所定の高さで略水平に、かつ互いに略対向して配設される第一及び第二の固定パイプと、少なくともいずれか一方の固定パイプと略平行となる位置関係で配設されると共に、該一方の固定パイプを支持している支柱パイプを介して、上下方向に移動可能に支持される可動パイプと、を有し、前記培地受けシートは、その各側端縁がそれぞれ前記第一の固定パイプと第二の固定パイプとに固定され、前記排液受けシートは、一方の側端縁が前記第一の固定パイプに固定され、他方の側端縁が前記可動パイプに固定されている構成とすることができる。
【０００８】
なお、前記排液受けシートの適宜箇所には、排出口を形成すると共に、該排出口に、排出管を接続することが好ましい。
【０００９】
【発明の実施の形態】
以下、図面に示した実施の形態に基づき本発明をさらに詳細に説明する。図において、１は本実施の形態に係る植物栽培用ベッドであり、支柱パイプ２、第一の固定パイプ３１、第二の固定パイプ３２、可動パイプ４、培地受けシート５及び排液受けシート６を有して構成される。
【００１０】
支柱パイプ２は、略垂直に設置されている。具体的には、互いに所定間隔をおいて一方の側の支柱パイプ２１と他方の側の支柱パイプ２２が略対向して立設されており、かつ、それぞれが、直線上に所定の間隔をおいて複数設置されている。
【００１１】
一方の側の支柱パイプ２１の上部には、第一の固定パイプ３１が、複数配設される当該一方の側の支柱パイプ２１に略水平にかけ渡し配設されており、他方の側の支柱パイプ２２の上部には、第二の固定パイプ３２が、複数配設される当該他方の側の支柱パイプ２２に略水平に掛け渡し配設されている。従って、第一の固定パイプ３１と第二の固定パイプ３２とは、所定の高さで略水平に、かつ互いに略対向して配設されることになる。
【００１２】
また、第二の固定パイプ３２は、他方の側の支柱パイプ２２の上端から内方に延びる略Ｌ字状のジョイント部材８を介して支持されている。これにより、このジョイント部材８の先端付近と他方の側の支柱パイプ２２との間に隙間が生じるため、次述する可動パイプ４をこの隙間に位置するまで移動させることが可能となる。
【００１３】
可動パイプ４は、他方の側の支柱パイプ２２に、少なくとも第二の固定パイプ３２と略平行となるよう、複数配設されている当該他方の側の支柱パイプ２２にかけ渡して、かつ他方の側の支柱パイプ２２に沿って上下方向に移動可能に配設されている。具体的には、他方の側の各支柱パイプ２２回りにはリング状の係合部材４１が外装されており、この係合部材４１に形成されているパイプ保持部に該可動パイプ４は保持されている。係合部材４１の下部であって、他方の側の各支柱パイプ２２回りには止めねじ４３を有する位置決め用リング４２が配設されており、止めねじ４３を締め付けることにより、該位置決め用リング４２が任意の位置で固定されると共に、該位置決め用リング４２の上端面に下端面が接している係合部材４１の位置及び係合部材４１によって保持された可動パイプ４の位置も固定されることになる。
【００１４】
培地受けシート５は、第一の固定パイプ３１と第二の固定パイプ３２との間に、断面略凹状となるように、すなわち、中央部付近が低所となり、両側端縁が高所となるように、両側端縁が、それぞれ第一の固定パイプ３１と第二の固定パイプ３２とに、シート止め具９によって固着されて配設されている（図３参照）。
【００１５】
上記のように配設された培地受けシート５の上面には、土、ロックウール等の培地１１が充填される。また、培地受けシート５の中央部付近には、排液孔５１が形成されており、栽培時において、培地１１を通過した余剰の培養液、すなわち、排液１２は、この排液孔５１から次述の排液受けシート６上へと排出される。排液孔５１は孔状のものでもスリット状のものでもよいが、培地１１の種類にもよるが、通常、孔状のものであれば直径が約１ｍｍ以上で、スリット状のものであれば、スリット幅が直径約１ｍｍ以上のものが好ましい。なお、上限は、培地１１の種類により異なるが、培地１１の一部が落下しない程度とすることが好ましい。また、培地受けシート５としては、従来公知の防水性のプラスチックフィルム等を用いることができる。また、液体は通過させるが植物の根の通過を阻害することができる不通根性の多孔性シート（例えば、株式会社誠和製：商品名「ルートン」）を用いることもできる。この場合には、排液孔を別途設ける必要がない点で有利である。但し、この多孔性シートは、その孔が直径約３０〜約５０μｍと非常に小さいため、培地として土を用いる場合には、目詰まりしやすいことから、上記のように、防水性のプラスチックフィルムに排液孔５１を形成したものを用いることが好ましい。
【００１６】
排液受けシート６は、防水性のプラスチックフィルム等からなり、培地受けシート５の下方であって、一方の側端縁６１を第一の固定パイプ３１に固定し、他方の側端縁６２を可動パイプ４に固定して配設される。この排液受けシート６は、通常栽培時には、可動パイプ４を他方の側の支柱パイプ２２に沿って下方向にスライド移動させることにより、他方の側端縁６２が一方の側端縁６１よりも低所に位置するように配置される（図２参照）。その結果、培地受けシート５と排液受けシート６との間に空間１３が形成される。この空間１３には、常時、空気が流通するため、好ましい根圏環境を保つことができる。例えば、培地受けシート５に形成された排液孔５１を通じて根圏に酸素が供給されるため、根圏の酸素不足を防ぐことができる。また、この空間１３を形成したことにより、培地１１を通過する排液１２の量を目視することができるので、培地１１への培養液の供給量の調節が容易となる。さらに、上記のように、培地受けシート５と排液受けシート６とが隔離されるため、培地１１から排出された排液１２が、再度、培地１１に接することはなく、培地１１内に余剰の培養液が溜まることによる栽培植物の根腐れを防止することができる。
【００１７】
また、該排液受けシート６は、湛液時には、可動パイプ４を他方の側の支柱パイプ２２に沿って上方向にスライド移動させることにより、他方の側端縁６２が一方の側端縁６１とほぼ同じ高さ、すなわち、第二の固定パイプ３２の配設位置とほぼ同じ高さに位置するように配置される（図１参照）。その結果、排液受けシート６が培地受けシート５の下面から培地受けシート５を包み込むように配置されるので、培地受けシート５上に配設される培地１１の上面まで、培地１１を洗浄するための水１４を速やかに溜めることが可能となる。
【００１８】
なお、排液受けシート６には、排液受けシート６に溜まった排液１２又は培地１１を洗浄した水１４を外部に排出するため、その適宜箇所に、排出口１５が設けられている。また、排出口１５には、排液１２等を外部へと排出するための通路として、排出管１６が接続されている。本実施の形態においては、図３に示すように、排出口１５が排液受けシート６の一方の端部に形成され、その排出口１５には、排出口１５から下方に延びる第一の排出管１６ａと、該第一の排出管１６ａの端部１６ｃが一端側から挿入されていると共に、他端部が地面１７に埋没している第二の排出管１６ｂとから構成される排出管１６が接続されている。なお、この排出管１６を相互に接続して延長すれば、排液貯槽（図示せず）に容易に排液を回収することができることはもちろんである。
【００１９】
ここで、排出管１６を上記のように２つの管部材から構成したのは、排液受けシート６の配置される高さに応じて排出管１６の長さを伸縮自由とするためである。すなわち、通常栽培時には、排液受けシート６（排液受けシート６に形成された排出口１５）が低所に位置するため、第一の排出管１６ａの端部１６ｃは、第二の排出管１６ｂ内に深く挿入されて、排出管１６の長さは、全体として短くなる（図２参照）。一方、湛液時には、排液受けシート６（排液受けシート６に形成された排出口１５）が高所に位置するため、第一の排出管１６ａの端部１６ｃは、第二の排出管１６ｂ内に浅く挿入されて、排出管１６の長さは、全体として長くなる（図１参照）。
【００２０】
上記のように構成される植物栽培用ベッド１は、以下のように使用される。すなわち、通常栽培時においては、可動パイプ４を他方の側の支柱パイプ２２に沿って下方向にスライド移動させ、排液受けシート６を、他方の側端縁６２が一方の側端縁６１よりも低所に位置するように配置して、使用する（図２参照）。一方、湛液時においては、まず、可動パイプ４を他方の側の支柱パイプ２２に沿って上方向にスライド移動させ、排液受けシート６を、他方の側端縁６２が一方の側端縁６１とほぼ同じ高さ、すなわち、第二の固定パイプ３２の配設位置とほぼ同じ高さになるように配置する。そして、排液受けシート６上面が水１４で満たされるように、培地１１の上面まで水１４を注入し、湛液を行う（図１参照）。
【００２１】
本発明の植物栽培用ベッド１は、上記した実施の形態に限定されるものではないことはもちろんである。例えば、上記した実施の形態では、排液受けシート６の他方の側端縁６２のみを可動パイプ４に接続して上下動可能とし、培地受けシート５に近接可能としているが、同様の可動パイプを一方の側の支柱パイプ２１にも設け、一方の側端縁６１側も他方の側端縁６２側と共に上下動可能とすることもできる。
【００２２】
また、排液受けシート６は、可動パイプ４を介さず、上下動する係合部材４１に直接連結することもできる。さらには、培地受けシート５を所定高さで支持する手段も支柱パイプ２１，２２や固定パイプ３１，３２を用いる構成に限らず、例えば、温室内上方から吊り下げ支持等することもできる。
【００２３】
【発明の効果】
本発明の植物栽培用ベッドによれば、排液受けシートが、所定高さで設置されている培地受けシートの下方に配設され、しかも、少なくとも一方の側端縁が上下動可能に設けられている。従って、通常栽培時には、排液受けシートを、低所に位置するように配置することにより、栽培植物に対して、良好な根圏環境を与えることができる。また、湛液時には、排液受けシートを、培地受けシートに接近させるよう調整することにより、湛液作業を行うこともが可能である。
【図面の簡単な説明】
【図１】図１は、本発明の一の実施の形態にかかる植物栽培用ベッドの湛液時における使用態様を示す正面図である。
【図２】図２は、同実施の形態における植物栽培用ベッドの通常栽培時における使用態様を示す正面図である。
【図３】図３は、同実施の形態における植物栽培用ベッドを示す図であり、（ａ）は部分平面図、（ｂ）は右側面図である。
【図４】図４は、従来の植物栽培用ベッドの一例を示す正面図である。
【符号の説明】
１  植物栽培用ベッド
２  支柱パイプ
２１  一方の側の支柱パイプ
２２  他方の側の支柱パイプ
３１  第一の固定パイプ
３２  第二の固定パイプ
４  可動パイプ
４１  係合部材
４２  位置決め用リング
４３  止めネジ
５  培地受けシート
５１  排液孔
６  排液受けシート
８  ジョイント部材
９  シート止め具
１１  培地
１２  排液
１３  空間
１４  水
１５  排出口
１６  排出管
１７  地面
【図１】
0003824193.tif 000002
【図２】
0003824193.tif 000003
【図３】
0003824193.tif 000004
【図４】
0003824193.tif 000005